(57)【特許請求の範囲】
【請求項１】
紙文書をスキャンすることの可能な画像処理装置であって、
前記紙文書のスキャンを制限すべく、ユーザによって設定される制限情報と、前記紙文書をスキャンすることにより得られるスキャン画像に前記制限情報が含まれていた場合の前記スキャン画像の変更方法であって、前記制限情報をユーザに視認させないように前記スキャン画像を変更する変更方法を示すスキャン画像変更ルールと、前記スキャン画像に前記制限情報が含まれていた場合の前記スキャン画像から作成されるサムネイル画像の変更方法であって、ユーザが前記スキャン画像に前記制限情報が含まれていたことを識別できるように前記サムネイル画像を変更する変更方法を示すサムネイル画像変更ルールと、を記憶する記憶手段と、
前記紙文書をスキャンすることにより得られるスキャン画像を取得するスキャン画像取得手段と、
前記スキャン画像取得手段で取得されたスキャン画像に基づいて、前記スキャン画像のサムネイル画像を作成するサムネイル画像作成手段と、
前記スキャン画像取得手段で取得されたスキャン画像に、前記記憶手段に記憶された制限情報が含まれているか否かを判定する判定手段と、
前記判定手段で前記スキャン画像に前記制限情報が含まれていると判定された場合、前記記憶手段に記憶されたスキャン画像変更ルールに基づいて、前記制限情報をユーザに視認させないように前記スキャン画像を変更すると共に、前記記憶手段に記憶されたサムネイル画像変更ルールに基づいて、ユーザが前記スキャン画像に前記制限情報が含まれていたことを識別できるように、前記スキャン画像に対応する前記サムネイル画像を変更し、前記判定手段で前記スキャン画像に前記制限情報が含まれていないと判定された場合、前記スキャン画像及び前記サムネイル画像を変更しない変更手段と、
を備えることを特徴とする画像処理装置。
【請求項２】
前記変更手段は、前記判定手段で前記スキャン画像に前記制限情報が含まれていると判定された場合、前記記憶手段に記憶されたスキャン画像変更ルールに基づいて、前記スキャン画像取得手段で取得されたスキャン画像を指定画像と置き換えることによって前記制限情報をユーザに視認させないように前記スキャン画像を変更することを特徴とする請求項１に記載の画像処理装置。
【請求項３】
前記変更手段は、前記判定手段で前記スキャン画像に前記制限情報が含まれていると判定された場合、前記記憶手段に記憶されたスキャン画像変更ルールに基づいて、前記スキャン画像に前記制限情報を埋め込んだ制限情報埋込画像を作成し、前記スキャン画像を前記制限情報埋込画像と置き換えることによって前記制限情報をユーザに視認させないように前記スキャン画像を変更することを特徴とする請求項１または２に記載の画像処理装置。
【請求項４】
前記変更手段は、前記判定手段で前記スキャン画像に前記制限情報が含まれていると判定された場合、前記記憶手段に記憶されたスキャン画像変更ルールに基づいて、前記スキャン画像にパスワードを設定したパスワード設定画像を作成し、前記スキャン画像を前記パスワード設定画像と置き換えることによって前記制限情報をユーザに視認させないように前記スキャン画像を変更することを特徴とする請求項１乃至３の何れか１項に記載の画像処理装置。
【請求項５】
前記変更手段は、前記判定手段で前記スキャン画像に前記制限情報が含まれていると判定された場合、前記記憶手段に記憶されたサムネイル画像変更ルールに基づいて、前記スキャン画像に対応するサムネイル画像を指定画像と置き換えることによってユーザが前記スキャン画像に前記制限情報が含まれていたことを識別できるように前記サムネイル画像を変更することを特徴とする請求項１乃至４の何れか１項に記載の画像処理装置。
【請求項６】
前記変更手段は、前記判定手段で前記スキャン画像に前記制限情報が含まれていると判定された場合、前記記憶手段に記憶されたサムネイル画像変更ルールに基づいて、前記スキャン画像に対応するサムネイル画像に前記制限情報を埋め込んだ制限情報埋込縮小画像を作成し、前記サムネイル画像を前記制限情報埋込縮小画像と置き換えることによってユーザが前記スキャン画像に前記制限情報が含まれていたことを識別できるように前記サムネイル画像を変更することを特徴とする請求項１乃至４の何れか１項に記載の画像処理装置。
【請求項７】
前記判定手段で前記スキャン画像に制限情報が含まれていると判定された場合、前記スキャン画像及び前記サムネイル画像を記憶する管理装置に、前記変更手段で変更された前記スキャン画像及び前記スキャン画像に対応する前記サムネイル画像を送信し、前記判定手段で前記スキャン画像に制限情報が含まれていないと判定された場合、前記スキャン画像取得手段で取得されたスキャン画像と、前記サムネイル画像作成手段で作成されたサムネイル画像と、を前記管理装置に送信することを特徴とする請求項１乃至６の何れか１項に記載の画像処理装置。
【請求項８】
ユーザ情報の入力を受け付けるユーザ情報入力受付手段と、
前記ユーザ情報入力受付手段で入力を受け付けたユーザ情報に応じて、スキャン画像に関する権限であるスキャンレベル及びサムネイル画像に関する権限であるサムネイルレベルを取得するユーザ権限情報取得手段と、
を更に有し、
前記スキャン画像変更ルールには、前記スキャンレベルに応じた前記スキャン画像を変更する変更方法が示されており、前記サムネイル画像変更ルールには、前記サムネイルレベルに応じた前記サムネイル画像を変更する変更方法が示されており、
前記変更手段は、前記ユーザ権限情報取得手段で取得されたスキャンレベルに基づいて、前記スキャン画像の変更方法を決定し、決定した変更方法に従って前記スキャン画像をユーザに視認させないように変更すると共に、前記ユーザ権限情報取得手段で取得されたサムネイルレベルに基づいて、前記サムネイル画像の変更方法を決定し、ユーザが前記スキャン画像に前記制限情報が含まれていたことを識別できるように、前記サムネイル画像を変更することを特徴とする請求項１乃至７の何れか１項に記載の画像処理装置。
【請求項９】
表示モードに応じて、前記サムネイル画像に係る表示を切り替える表示制御手段を更に有することを特徴とする請求項１乃至８の何れか１項に記載の画像処理装置。
【請求項１０】
前記表示制御手段は、表示モードとして制限モードが選択された場合は、前記判定手段で制限情報が含まれていると判定された前記スキャン画像に対応するサムネイル画像を表示し、表示モードとして通常モードが選択された場合は、前記スキャン画像取得手段で取得された前記スキャン画像に対応するサムネイル画像を表示することを特徴とする請求項９に記載の画像処理装置。
【請求項１１】
前記画像処理装置は、前記管理装置を備えることを特徴とする請求項７に記載の画像処理装置。
【請求項１２】
紙文書をスキャンすることの可能な画像処理装置の制御方法であって、
前記画像処理装置のスキャン画像取得手段が、前記紙文書をスキャンすることにより得られるスキャン画像を取得するスキャン画像取得ステップと、
前記画像処理装置のサムネイル画像作成手段が、前記スキャン画像取得ステップで取得されたスキャン画像に基づいて、前記スキャン画像のサムネイル画像を作成するサムネイル画像作成ステップと、
前記画像処理装置の判定手段が、前記スキャン画像取得ステップで取得されたスキャン画像に、前記紙文書のスキャンを制限すべく、ユーザによって設定される制限情報と、前記紙文書をスキャンすることにより得られるスキャン画像に前記制限情報が含まれていた場合の前記スキャン画像の変更方法であって、前記制限情報をユーザに視認させないように前記スキャン画像を変更する変更方法を示すスキャン画像変更ルールと、前記スキャン画像に前記制限情報が含まれていた場合の前記スキャン画像から作成されるサムネイル画像の変更方法であって、ユーザが前記スキャン画像に前記制限情報が含まれていたことを識別できるように前記サムネイル画像を変更する変更方法を示すサムネイル画像変更ルールと、を記憶する前記画像処理装置の記憶手段に記憶された制限情報が含まれているか否かを判定する判定ステップと、
前記画像処理装置の変更手段が、前記判定ステップで前記スキャン画像に前記制限情報が含まれていると判定された場合、前記記憶手段に記憶されたスキャン画像変更ルールに基づいて、前記制限情報をユーザに視認させないように前記スキャン画像を変更すると共に、前記記憶手段に記憶されたサムネイル画像変更ルールに基づいて、ユーザが前記スキャン画像に前記制限情報が含まれていたことを識別できるように、前記スキャン画像に対応する前記サムネイル画像を変更し、前記判定ステップで前記スキャン画像に前記制限情報が含まれていないと判定された場合、前記スキャン画像及び前記サムネイル画像を変更しない変更ステップと、
を含むことを特徴とする画像処理装置の制御方法。
【請求項１３】
紙文書をスキャンすることの可能なコンピュータを、
前記紙文書をスキャンすることにより得られるスキャン画像を取得するスキャン画像取得手段と、
前記スキャン画像取得手段で取得されたスキャン画像に基づいて、前記スキャン画像のサムネイル画像を作成するサムネイル画像作成手段と、
前記スキャン画像取得手段で取得されたスキャン画像に、前記紙文書のスキャンを制限すべく、ユーザによって設定される制限情報と、前記紙文書をスキャンすることにより得られるスキャン画像に前記制限情報が含まれていた場合の前記スキャン画像の変更方法であって、前記制限情報をユーザに視認させないように前記スキャン画像を変更する変更方法を示すスキャン画像変更ルールと、前記スキャン画像に前記制限情報が含まれていた場合の前記スキャン画像から作成されるサムネイル画像の変更方法であって、ユーザが前記スキャン画像に前記制限情報が含まれていたことを識別できるように前記サムネイル画像を変更する変更方法を示すサムネイル画像変更ルールと、を記憶する前記コンピュータの記憶手段に記憶された制限情報が含まれているか否かを判定する判定手段と、
前記判定手段で前記スキャン画像に前記制限情報が含まれていると判定された場合、前記記憶手段に記憶されたスキャン画像変更ルールに基づいて、前記制限情報をユーザに視認させないように前記スキャン画像を変更すると共に、前記記憶手段に記憶されたサムネイル画像変更ルールに基づいて、ユーザが前記スキャン画像に前記制限情報が含まれていたことを識別できるように、前記スキャン画像に対応する前記サムネイル画像を変更し、前記判定手段で前記スキャン画像に前記制限情報が含まれていないと判定された場合、前記スキャン画像及び前記サムネイル画像を変更しない変更手段と、
して機能させるためのプログラム。
【発明の詳細な説明】
【技術分野】
【０００１】
本発明は、画像処理装置、その制御方法及びプログラムに関する。
【背景技術】
【０００２】
従来、スキャナ装置若しくはスキャナ機能を搭載したデジタル複合機を用いて、スキャンした画像をパーソナルコンピュータ等の端末装置のフォルダへ送信することが行われている。
【０００３】
この際のセキュリティの機能として、全てのスキャン画像結果を端末装置側のデータベースに蓄積し、管理者が後ほどスキャン画像を確認できる仕組みが存在する。
【０００４】
また、セキュリティを確保するためにスキャン実行者に対して、ユーザ権限を設定し、このユーザ権限に応じてスキャン処理を禁止させる等の仕組みが存在する（例えば、特許文献１参照）。その他、スキャンされる紙媒体自体に、スキャン禁止を判別する情報を埋め込んでおき、スキャン実行時にデジタル複合機がこの情報を判別し、スキャン処理を禁止させる仕組みも存在する。
【０００５】
【特許文献１】特開２００４−１２８５４９号公報
【発明の開示】
【発明が解決しようとする課題】
【０００６】
しかしながら、特許文献１のような技術ではスキャン処理実行時にスキャンを禁止させることは可能であるが、権限に応じて単にスキャンの禁止を行った場合、権限のないユーザはどのような文書もスキャンできない。そのため、スキャンを行って、そのスキャンしたデータを取り扱うような文書管理業務（以下、文書管理業務）を行うユーザにはスキャン禁止の権限を付与することはできなかった。その結果、文書管理業務を行うユーザには、スキャン禁止の権限を付与できないことによって、前記ユーザはどのような文書でもスキャンすることができてしまうことになる。つまり、前記ユーザは、本来文書管理業務を行うユーザが取り扱えないセキュリティの高い文書もスキャンして電子データとして保持することができてしまう。これにより、文書管理業務を行うユーザからは近年問題となっている情報漏洩等が発生してしまうことが懸念されている。
【０００７】
この問題点を解決するために、文書を判別してスキャンさせるか否かを判断し、スキャン可能と判断した文書だけをスキャンさせるようにする仕組みが考えられる。このような仕組みの場合、スキャン処理自体が行えないためスキャンしたユーザは、どのような内容の文書をスキャンしたことでスキャン不可能となったのかを判断することはできる。しかしながら、他のユーザ（例えば管理者）には、どのような内容のスキャン禁止文書を、どのユーザが行ったのかを確認することができない問題があった。
【０００８】
一方、近年では、スキャンした文書データは個人の共有ファイルに保存せず、サーバにある文書管理アプリケーションを用いて管理することが多くなってきている。
【０００９】
この場合、単にスキャンした文書をサーバに保存してしまうと、ユーザはどのようなファイルでも閲覧でき、結果、機密漏洩が起こってしまう。そこで、文書に応じてスキャンさせない制御を行うことで機密漏洩を減らすことが考えられる。しかしながら、この場合、文書管理アプリケーションには文書がまったく保存されないため管理者は、ユーザがどのような文書をスキャンしているかを把握することができない。そのため、管理者は、どのような機密文書を誰がどれだけスキャンしようとしているか等、社内の状態を把握することができない問題があった。
【００１０】
また、機密文書の場合、スキャンした文書を文書管理サーバに送ってユーザには表示させないようにすることで機密情報の漏洩をはかることも考えられる。しかしながらこの方法では、ユーザが何故スキャンしたデータがない（表示されない）のか分からず、業務上不便を生じてしまう問題があった。
【００１１】
本発明は、ユーザが機密文書をスキャンしたことを把握可能とすると共に、スキャンに伴う機密文書の漏洩を防止することを目的とする。
【課題を解決するための手段】
【００１２】
そこで、本発明は、紙文書をスキャンすることの可能な画像処理装置であって、前記紙文書のスキャンを制限すべく、ユーザによって設定される制限情報と、前記紙文書をスキャンすることにより得られるスキャン画像に前記制限情報が含まれていた場合の前記スキャン画像の変更方法であって、前記制限情報をユーザに視認させないように前記スキャン画像を変更する変更方法を示すスキャン画像変更ルールと、前記スキャン画像に前記制限情報が含まれていた場合の前記スキャン画像から作成されるサムネイル画像の変更方法であって、ユーザが前記スキャン画像に前記制限情報が含まれていたことを識別できるように前記サムネイル画像を変更する変更方法を示すサムネイル画像変更ルールと、を記憶する記憶手段と、前記紙文書をスキャンすることにより得られるスキャン画像を取得するスキャン画像取得手段と、前記スキャン画像取得手段で取得されたスキャン画像に基づいて、前記スキャン画像のサムネイル画像を作成するサムネイル画像作成手段と、前記スキャン画像取得手段で取得されたスキャン画像に、前記記憶手段に記憶された制限情報が含まれているか否かを判定する判定手段と、前記判定手段で前記スキャン画像に前記制限情報が含まれていると判定された場合、前記記憶手段に記憶されたスキャン画像変更ルールに基づいて、前記制限情報をユーザに視認させないように前記スキャン画像を変更すると共に、前記記憶手段に記憶されたサムネイル画像変更ルールに基づいて、ユーザが前記スキャン画像に前記制限情報が含まれていたことを識別できるように、前記スキャン画像に対応する前記サムネイル画像を変更し、前記判定手段で前記スキャン画像に前記制限情報が含まれていないと判定された場合、前記スキャン画像及び前記サムネイル画像を変更しない変更手段と、を備えることを特徴とする。
【００１３】
係る構成とすることにより、ユーザが機密文書をスキャンしたことを把握可能とすると共に、スキャンに伴う機密文書の漏洩を防止することができる。
【００１４】
また、本発明は、その制御方法及びプログラムとしてもよい。
【発明の効果】
【００１５】
本発明によれば、ユーザが機密文書をスキャンしたことを把握可能とすると共に、スキャンに伴う機密文書の漏洩を防止することができる。
【発明を実施するための最良の形態】
【００１６】
以下、本発明の実施形態について図面に基づいて説明する。
【００１７】
＜実施形態１＞
図１は、システム構成の一例を示す図である。
管理サーバ１００は、複合機１２０で読み取られたデータを管理し、汎用コンピュータ等の情報処理装置により構成される。また、管理サーバ１００は、通信網１４０を介して複合機１２０（コンピュータ）と通信可能に接続され、企業内居室に設置されている。より具体的に説明すると、管理サーバ１００と、複合機１２０と、は、企業内ＬＡＮにより接続されている。更に、この管理サーバ１００上では、図示していないＯＳ、アプリケーションが稼動している。
【００１８】
複合機１２０は、原稿を連続して読み取り、電子化する。なお、複合機１２０は、クライアントコンピュータと、スキャナと、で構成されていてもよい。
なお、図１に示されるシステムでは、ユーザ認証を行う。操作パネル等を介してユーザＩＤとパスワードとが入力されると、複合機１２０は、通信網１４０を介して管理サーバ１００に対してユーザＩＤ及びパスワードを含む認証要求を送信する。
【００１９】
管理サーバ１００は、認証要求を受け取ると、認証要求に含まれるユーザＩＤ及びパスワードと、認証テーブルと、を基に、認証を実行し、認証の結果を、通信網１４０を介して複合機１２０に返す。認証に成功した場合、管理サーバ１００は、ファイル送信先フォルダ情報や、スキャン結果処理を決定するスキャン権限レベルの情報を、認証の結果と共に一緒に複合機１２０に送信する。
【００２０】
複合機１２０は、認証成功の結果を受けると、操作パネル等にスキャン設定画面を表示する。ユーザは、スキャン設定画面において、保存するファイル形式（ＰＤＦ、ＪＰＥＧ、ＴＩＦＦ）、解像度、濃度等のスキャン情報と、スキャン前にプレビューを実行するかどうかと、を設定する。設定完了後、ユーザは、複合機１２０の読み取り部等に原稿用紙を設定し、複合機１２０にスキャン処理を開始させる。
【００２１】
スキャン処理後、複合機１２０は、ファイル形式等のスキャン設定を基に画像データの電子化を行い、この電子データ（以降、スキャン画像）と、このスキャン画像を基に生成したサムネイル画像と、を複合機１２０の保存領域に一時的に保存する。
【００２２】
ここで、複合機１２０は、ＯＣＲ処理を実行する。複合機１２０に対して、予め制限情報の一例である禁止文字を設定（記憶）しておき、複合機１２０は、ＯＣＲ処理実行時にその禁止文字が存在するかチェックを行う。
【００２３】
複合機１２０は、禁止文字をチェックした結果及び管理サーバ１００から受け取ったスキャン権限情報を基に、サムネイル画像及びスキャン画像の生成方法（又は送信方法）に係る処理を決定する。より具体的に説明すると、複合機１２０は、禁止文字がある場合や、スキャン権限がない場合、スキャン画像を送信しない、予め保存しておいた画像を代わりに送信する、予め保存しておいた文字を埋め込んだ画像を作成し、この画像を送信する等の処理を決定する。
【００２４】
また、複合機１２０は、前記処理と同時に、プレビュー表示の設定がＯＮの場合、複合機１２０の操作パネル等にサムネイル画像を表示させる。また、複合機１２０は、ユーザに権限があれば、操作パネル等にサムネイル画像の拡大表示を可能とする。
複合機１２０は、処理が決定したら、その処理に応じて例えば作成等した画像（画像ファイル）を、通信網１４０を介して管理サーバ１００に送信する。
【００２５】
管理サーバ１００は、複合機１２０より受信した例えばサムネイル画像及びスキャン画像を指定のユーザフォルダに保存する。
同時に、管理サーバ１００は、複合機１２０より受信したサムネイル画像を、管理サーバ１００に直接接続されているデータベース１１０に登録する。なお、ここで、データベース１１０は、データベース管理システムのことで、管理サーバ１００にインストールされていてもよいし、管理サーバ１００と直接接続されているコンピュータ等にインストールされていてもよい。
【００２６】
画像送信後、複合機１２０は、複合機１２０の保存領域に保存されている画像を削除する。
一般ユーザは、複合機１２０又はクライアント装置１５０（スキャンユーザの端末）を介して、管理サーバ１００のユーザ指定フォルダに保存されたサムネイル画像及びスキャン画像を取得することができる。
複合機１２０は、ユーザ環境によって、システム内に複数存在することを想定している。
【００２７】
管理者（システム管理者）は、複合機１２０又は図示していない管理者の端末から通信網１４０を介して管理サーバ１００に接続する。そして、管理者は、管理者用のユーザＩＤとパスワードとを入力後、管理サーバ１００にログインする。管理者は、複合機１２０又は図示していない管理者の端末を介して検索条件を設定することで、データベース１１０に保存されているサムネイル情報の検索及び表示の確認を行うことができる。
【００２８】
また、管理者は、特定のサムネイルを選択することで、サムネイルに対応する画像（又はデータ）の詳細データを確認することができる。
なお、警告機能として、複合機１２０が禁止文字をスキャンした場合、管理サーバ１００が予め設定したメールアドレスに対して、自動でメールを送信するようにしてもよい。
【００２９】
更に管理サーバ１００に文書管理アプリケーションを実装し、複合機１２０又はクライアント装置１５０に管理サーバ１００の文書管理アプリケーションと通信可能なクライアントの文書管理アプリケーションを実装するようにしてもよい。このようにすることによって、複合機１２０又はクライアント装置１５０では、自分がスキャンしたスキャンデータを閲覧することができる。
【００３０】
なお、管理サーバ１００は、スキャンされた画像を図２に示されるようにログイン（スキャン）したユーザごとにフォルダ管理しており、このフォルダに対応する仮想フォルダをクライアント等との文書管理アプリケーションの表示画面上に表示させる。ここで、図２は、フォルダに対応する仮想フォルダ及びフォルダに格納されたデータの一例を示す図である。
なお、管理サーバ１００は、スキャン画像を１つのフォルダに格納し、クライアント等の文書管理アプリケーション上で表示させる際にユーザごとに仮想フォルダを表示させてそのフォルダに、そのユーザのファイル群を表示させるようにしてもよい。
【００３１】
図３は、管理サーバ１００とクライアント装置１５０とのハードウェア構成の一例を示す図である。以下、管理サーバ１００を例として詳細を説明する。
図３に示すように管理サーバ１００は、ＣＰＵ２０１とＲＡＭ２０２とＲＯＭ２０３とＬＡＮアダプタ２０４とビデオアダプタ２０５とキーボード２０６とマウス２０７等のポインティングデバイスとハードディスク２０８と記録媒体ドライブ２０９とを備える。また、これら各構成は、システムバス２００を介して互いに接続されている。但し、実際にはＣＰＵ２０１と記録媒体ドライブ２０９とシステムバス２００との間にはインタフェース回路やチップセット等が存在するが、図３では省略している。
【００３２】
システムバス２００は、ＰＣＩバスやＡＧＰバス等の各種システムバスであり、複数のシステムバス間は通常、所謂チップセットを介して接続されるが、図３では省略されている。
【００３３】
ＣＰＵ２０１は、ＲＯＭ２０３又はハードディスク２０８等に記憶保存されたプログラムをＲＡＭ２０２に記憶後、順次読み出して実行することによって、後述する機能、又はフローチャートに係る処理を実現する。
【００３４】
ＲＡＭ２０２は、ＯＳの一部及びプログラムをロードすると共にＣＰＵ２０１の制御の下でプログラムを実行する際に使用される配列や変数を含む各種データ等を一時記憶させるためのメモリである。
ＲＯＭ２０３には各ハードウェアの制御プログラム（所謂ＢＩＯＳ）等が記憶されている。なお、ＲＯＭ２０３は、オペレーティングシステム（ＯＳ）の一部を記憶することもできる。
【００３５】
ＬＡＮアダプタ（ネットワークインタフェースカード）２０４は、管理サーバ１００をネットワークに接続するための通信インタフェースである。
ビデオアダプタ２０５は、所謂ビデオグラフィックアダプタ（ＶＧＡ）であり、液晶ディスプレイ等の各種ディスプレイが接続される。
【００３６】
ハードディスク２０８は、ＯＳや、画面情報（ｉｔｍｌやＣＧＩ等で記述された、ディスプレイ等に画面を表示させるための情報）を含む各種アプリケーションプログラムを記憶する。
【００３７】
また、ハードディスク２０８には、画像データ及び画像データを管理する管理情報や、画像データの送受信（転送含む）プログラム等も記憶されている。
記録媒体ドライブ２０９は、ＣＤ−ＲＯＭドライブ又はＤＶＤ−ＲＯＭドライブ、ＤＶＤ−Ｒドライブ等の記録媒体のデータを読み出し可能な駆動装置である。
【００３８】
図４は、複合機１２０のハードウェア構成の一例を示す図である。複合機１２０は、管理サーバ１００と同様に、システムバス３０とＣＰＵ３１とＲＡＭ３２とＲＯＭ３３とＬＡＮアダプタ３４とハードディスク３８とを有している。更に、複合機１２０は、液晶パネル＆Ｉ／Ｆ３５と通信回線Ｉ／Ｆ３６とスキャンエンジン３７とプリントエンジン３９とを有している。
【００３９】
液晶パネル＆Ｉ／Ｆ３５は、操作パネル（タッチパネル）を含み、表示機能及びデータ入力機能を有している。通信Ｉ／Ｆ３６は、ＵＳＢ等のインタフェースを司り、管理サーバ１００又はクライアント装置１５０との接続を行うことができる。スキャンエンジン３７は、原稿画像を光学的に読み取りデジタル画像データに変換して、複合機１２０に入力する。プリントエンジン３９は、スキャンエンジン３７から入力されたデータ等を用紙等に印刷する。
【００４０】
なお、複合機１２０のハードディスク３８には、システムプログラム等の他に、管理サーバ１００又はクライアント装置１５０へ通信Ｉ／Ｆ３６やＬＡＮアダプタ３４を介して画像データを転送する転送プログラムが記憶されている。
ＣＰＵ３１は、ＲＯＭ３３又はハードディスク３８等に記憶保存されたプログラムをＲＡＭ３２に記憶後、順次読み出して実行することによって、後述する機能、又はフローチャートに係る処理を実現する。
【００４１】
図５Ａは、システムにより実行されるスキャン処理の一例を示すフローチャート（その１）である。図５Ｂは、システムにより実行されるスキャン処理の一例を示すフローチャート（その２）である。図５Ｃは、システムにより実行されるスキャン処理の一例を示すフローチャート（その３）である。
複合機１２０は、操作パネルを介して入力されたユーザＩＤとパスワードとを入力（ユーザ情報入力）する（ステップＳ４０１）。
【００４２】
複合機１２０は、入力したユーザＩＤとパスワードとを管理サーバ１００に対して送信する（ステップＳ４０２）。
管理サーバ１００は、ユーザＩＤとパスワードとを受信する（ステップＳ４０３）。
管理サーバ１００は、ユーザＩＤとパスワードとを基に、管理サーバ１００のハードディスク等に格納されている図６に示される認証テーブルを参照し、認証を行う（ステップＳ４０４）。ここで、図６は、認証テーブルの一例を示す図である。図６に示される認証テーブルは、例えば、テキストファイル等にカンマで区切って各項目が設定されており、１行で１ユーザの情報を設定されている。なお、１行目の＃は読み込まない文字として登録されているものとする。図６の例では４名のユーザに係る認証情報が登録されている。
管理サーバ１００は、認証テーブルに該当するユーザＩＤとパスワードとが存在する場合は、認証成功とみなす。
【００４３】
管理サーバ１００は認証に成功した場合、認証テーブルのユーザ権限情報（ユーザ名、サムネイルレベル、スキャンレベル、プレビューレベル、保存先、ＰＤＦパスワード）を取得し、認証に成功した旨の認証結果と共に複合機１２０に送信する（ステップＳ４０５）。ここで、図７は、認証テーブルの設定項目の一例を示す図である。
なお、図７に示されるように、認証テーブルにおいて、ＰＤＦＰＷＤ（ＰＤＦパスワード）は、省略可能であるが、省略時は、ＰＤＦにパスワードを設定することはできないものとする。
【００４４】
再び図５Ａの説明に戻り、管理サーバ１００は、該当するユーザＩＤが存在しない、若しくはパスワードが異なっている場合は、認証失敗とみなし、認証に失敗した旨の認証結果を複合機１２０に返す（Ｓ４０６）。
なお、本実施形態では、システムは、ユーザＩＤとパスワードとを用いて認証を行うものとして説明を行うが、複合機１２０に接続されたカード情報読取装置にかざされたＩＣカードから取得したカード情報等を用いて、認証を行ってもよい。
【００４５】
複合機１２０は、管理サーバ１００より、認証に成功した旨の情報と、ユーザ権限情報と、を受信する（ユーザ権限情報取得）（ステップＳ４０７）。このとき、複合機１２０は、認証に成功したとして、ステップＳ４０１に取得したユーザ名を、複合機１２０の操作パネルに表示させる。
次に複合機１２０は、操作パネルを介してユーザの設定操作（又は選択操作）に応じて、スキャン形式を決定する（ステップＳ４０８）。なお、ユーザは、操作パネルを用いて、図８に示されるファイル形式、解像度、読み込み濃度、プレビュー表示、ページ毎分割、両面原稿、原稿混載を設定する。図８は、スキャン設定テーブルの設定項目の一例を示す図である。
【００４６】
次に複合機１２０は、スキャンする原稿紙がスキャナ原稿台にセットされたことを検知する（ステップＳ４０９）。
次に複合機１２０は、スキャンボタンの押下を検知する（ステップＳ４１０）。そして、複合機１２０は、スキャンが正常に行われたか否かを判断する（ステップＳ４１１）。
【００４７】
紙詰まり等で正常にスキャンが行われなかった場合、複合機１２０は、スキャンに失敗した旨の操作パネルに表示する（ステップＳ４１２）。ユーザは、スキャンに失敗した旨の表示が操作パネル上になされると、原稿紙をスキャナ１３０にセットし、再度スキャンボタンを押下する。
一方、正常にスキャンが行われた場合、複合機１２０は、Ｓ４０８で決定したスキャン形式に基づいて、読み取った原稿からスキャン画像を生成する（ステップＳ４１３）。そして、複合機１２０は、生成したスキャン画像を複合機１２０内の保存領域に保存する（ステップＳ４１４）。
【００４８】
次に複合機１２０は、保存領域（ハードディスクやＲＡＭ）の保存されたスキャン画像を取得し（画像取得）、図９に設定されているサムネイル画質、サムネイル画像ファイル形式等を基に、スキャン画像からサムネイル画像を作成（縮小画像作成）する（ステップＳ４１５）。ここで、図９は、管理者設定テーブルの設定項目の一例を示す図である。なお、管理者設定テーブルは、管理サーバ１００において、管理者により、設定、作成される。設定された情報の内、禁止文字設定、禁止文字、禁止文字時の処理、スキャン画像ファイル名、サムネイル画像ファイル名、置き換え画像、サムネイル画像ファイル形式は、管理サーバ１００により自動的に全ての複合機に配信される。また、図９の項目、禁止文字時の処理のＷｏｒｄＴｈｕｍｖｎａｉｌＬｅｖｅｌ及びＷｏｒｄＳｃａｎＬｅｖｅｌは、項目、禁止文字毎に設定されているものとする。なお、禁止文字等の設定情報はハードディスク３８の記憶部に記憶される。
【００４９】
複合機１２０は、生成したサムネイル画像（縮小画像）を、複合機１２０内の保存領域に保存する（ステップＳ４１６）。なお、複合機１２０は、サムネイル画像と、前記サムネイル画像を生成（作成）する際に用いたスキャン画像と、関連付けて保存（又は管理）する。
複合機１２０は、ステップＳ４０８で決定したスキャン形式のプレビュー表示設定がオンか否かを確認する（ステップＳ４１７）。プレビュー表示設定がオンの場合、複合機１２０は、プレビュー表示処理を行い（ステップＳ４１８）、その後、ステップＳ４１９に進む。なお、ステップＳ４１８の処理の詳細は、後述する図１０を用いて説明する。
【００５０】
一方、プレビュー表示設定がオフの場合、複合機１２０は、スキャン画像に対してＯＣＲ処理を実行する（ステップＳ４１９）。
複合機１２０は、ＯＣＲ処理の実行の結果に基づき、図９に設定されている禁止文字がスキャン画像に存在するか否かのチェック（判定）を行う（ステップＳ４２０）。なお、禁止文字の代わりに、禁止図形を管理者設定テーブルに設定しておき、複合機１２０は、スキャン画像にこの禁止図形が存在知るか否かをチェックするようにしてもよい。
【００５１】
禁止文字がスキャン画像に存在した場合、複合機１２０は前記スキャン画像に対応するサムネイル画像や、禁止文字の情報、ステップＳ４０７で取得したユーザ名（ＵｓｅｒＮａｍｅ）を管理サーバ１００に送信し（ステップＳ４２１）、ステップＳ４２４に進む。
管理サーバ１００は、データを受信すると（ステップＳ４２２）、図９の管理者設定項目で設定されている警告メール送信先メールアドレスに対して、サムネイル画像、禁止文字の情報、ユーザ名を含むメールを送信する（ステップＳ４２３）。
禁止文字が無い場合、複合機１２０は、送信するスキャン画像を決定する処理を行う（ステップＳ４２４）。なお、ステップＳ４２４の処理の詳細は、後述する図１２を用いて説明する。
【００５２】
続いて複合機１２０は、サムネイル画像の送信結果を決定する処理を行う（ステップＳ４２５）。なお、ステップＳ４２５の処理の詳細は、後述する図１５を用いて説明する。
複合機１２０は、ステップＳ４２４で決定したスキャン画像と、ステップＳ４２５で決定したサムネイル画像と、を管理サーバ１００に送信する（ステップＳ４２６）。このとき、複合機１２０は、ステップＳ４０７で取得したファイル保存先フォルダ情報、禁止文字が存在している場合は禁止文字及びその禁止文字が存在する場所の情報、ユーザ権限情報、複合機１２０のＩＰアドレス情報も併せて管理サーバ１００に送信する。また、複合機１２０は、更に、複合機１２０は、ステップＳ４２４で決定したスキャン画像の処理結果及びステップＳ４２５で決定したサムネイル画像の処理結果も併せて管理サーバ１００に送信する。
【００５３】
管理サーバ１００は、スキャン画像及びサムネイル画像、ファイル保存先フォルダ情報、画像処理結果、禁止文字情報等を受信する（ステップＳ４２７）。そして、管理サーバ１００は、受信したファイル保存先フォルダに対して、スキャン画像及びサムネイル画像を保存する（ステップＳ４２８）。保存先のフォルダ及びファイルのイメージは、図２参照。
ここで、管理サーバ１００は、保存先のフォルダが存在しない場合は、フォルダを作成後、スキャン画像及びサムネイル画像を保存する。なお、管理サーバ１００は、ファイルを保存する際、ファイル名の命名規則として、図９の項目、スキャン画像ファイル名及びサムネイル画像ファイル名に従う。
更に、管理サーバ１００は、データベース１１０にサムネイル画像（サムネイルファイル）を保存する。このとき、管理サーバ１００は、サムネイル画像に対して、画像処理結果、禁止文字情報、ユーザ権限情報、複合機１２０のＩＰアドレス情報も紐付けて保存する。なお、スキャンしたユーザに、スキャン画像及びサムネイル画像の作成権限がない場合、画像が管理サーバ１００に対して送信されない場合もある。
【００５４】
複合機１２０は、管理サーバ１００に対して正常にデータの送信が完了したことを確認後、複合機１２０の保存領域に保存されているスキャン画像及びサムネイル画像を削除する（ステップ４２９）。
【００５５】
図１０は、プレビュー表示処理の一例を示すフローチャートである。
複合機１２０は、図５ＡのステップＳ４０７で取得したプレビュー表示権限（ＰｒｅｖｉｅｗＬｅｖｅｌ）を基に、プレビュー表示権限があるか否かを判断する（ステップＳ５０１）。ここで、図１１は、サムネイル送信権限、スキャン画像生成権限、プレビュー表示権限の権限レベルを説明するための図である。例えば、複合機１２０は、ステップＳ４０７で取得したプレビュー表示権限が１であった場合は、図１１よりプレビュー表示権限がないと判断し、プレビュー表示権限が２、又は３であった場合は、図１１よりプレビュー表示権限があると判断する。
【００５６】
プレビュー表示権限がないと判断した場合、複合機１２０は、プレビューの表示権限がない旨のメッセージを複合機１２０の操作パネル上に表示させる（ステップ５０２）。なお、複合機１２０は、管理者設定テーブルのプレビュー禁止表示に設定されているメッセージを操作パネル上に表示させる。例えば、メッセージの一例としては、「スキャンを実行する権限がありません」等がある。
【００５７】
プレビュー表示権限があると判断した場合、複合機１２０は、複合機１２０の保存領域に保存されているサムネイル画像を取得する（ステップ５０３）。そして複合機１２０は、操作パネル上に、取得したサムネイル画像を表示させる（ステップＳ５０４）。
複合機１２０は、図５ＡのステップＳ４０７で取得したプレビュー表示権限（ＰｒｅｖｉｅｗＬｅｖｅｌ）を基に、プレビュー表示拡大権限があるか否かを判断する（ステップＳ５０５）。例えば、複合機１２０は、ステップＳ４０７で取得したプレビュー表示権限が２であった場合は、図１１よりプレビュー表示拡大権限がないと判断し、プレビュー表示権限が３であった場合は、図１１よりプレビュー表示拡大権限があると判断する。
【００５８】
プレビュー表示拡大権限がないと判断した場合は、複合機１２０は、図１０に示す処理を終了する。一方、プレビュー表示拡大権限があると判断した場合は、複合機１２０は、拡大ボタンが押下されたか否かを判定する（ステップＳ５０６）。
【００５９】
拡大ボタンが押下された場合、複合機１２０は、拡大サムネイル画像を生成し（ステップＳ５０７）、生成した拡大サムネイル画像をプレビュー表示する（ステップＳ５０８）。次に、複合機１２０は、生成したサムネイル画像を、複合機１２０の保存領域に保存する（ステップ５０９）。これは、プレビュー表示を元の大きさの画像表示に戻し、再度、拡大ボタンが押下された場合、一度作成した拡大画像を流用して使用するためである。
一方、拡大ボタンが押下されなかった場合は、複合機１２０は、図１０に示す処理を終了する。
【００６０】
図１２は、送信するスキャン画像の決定処理の一例を示すフローチャートである。
複合機１２０は、図５ＡのステップＳ４０７で取得したスキャン画像生成権限（ＳｃａｎＬｅｖｅｌ）と、図５ＢのステップＳ４２０での禁止文字があったか否かの情報と、を基に、処理方法を決定する（ステップＳ６０１）。なお、「スキャン画像を送信しない」という選択も送信するスキャン画像を決定する処理の選択肢の一つに含まれるものとする。
ここで、図１３は、処理方法を説明するための図である。
【００６１】
禁止文字があった場合の処理は、「ＳｃａｎＬｅｖｅｌ＝３」であった場合のみ有効になるものとする。
例えば、複合機１２０は、
「ＳｃａｎＬｅｖｅｌ＝１」の場合は、ステップＳ６０２へ、
「ＳｃａｎＬｅｖｅｌ＝２」の場合は、ステップＳ６０７へ、
「ＳｃａｎＬｅｖｅｌ＝４」の場合は、ステップＳ６１０へ、
「ＳｃａｎＬｅｖｅｌ＝３」で、かつ、禁止文字がない場合は、ステップＳ６１０へ、
移行する。
また、複合機１２０は、
「ＳｃａｎＬｅｖｅｌ＝３」で、かつ、禁止文字がある場合は、スキャン画像生成処理方法レベル（ＷｏｒｄＳｃａｎＬｅｖｅｌ）に応じて、処理を変える。
例えば、
「ＷｏｒｄＳｃａｎＬｅｖｅｌ＝１」の場合は、ステップＳ６０３へ、
「ＷｏｒｄＳｃａｎＬｅｖｅｌ＝２」の場合は、ステップＳ６０４へ、
「ＷｏｒｄＳｃａｎＬｅｖｅｌ＝３」の場合は、ステップＳ６０７へ、
移行する。
【００６２】
ステップＳ６０２へ移行した場合、複合機１２０は、スキャン画像は送信しないという情報を保存領域に保存する。
ステップＳ６０３へ移行した場合、複合機１２０は、図９の項目、置き換え画像で設定されている、複合機１２０の保存領域に保存されている画像（指定画像）を読み込み、スキャン送信画像として設定する。スキャン実行者に対してスキャンさせたくないような機密文書は、このような予め設定しておいた画像と置き換えることで、スキャン実行者は、スキャン実行後に管理者からのメッセージ付の画像を確認することで、容易に機密文書であったことを確認できる。なお、置き換え用の画像は、白紙の画像であってもよい。白紙の画像（画像データ）は、上述したように予め複合機１２０の保存領域に保存されていてもよいし、ステップＳ６０３の処理の際に、複合機１２０が、白紙画像データを作成し、置き換えるようにしてもよい。つまり、禁止文字があった場合は、ユーザには視認できないように画像データを変更する。
【００６３】
ステップＳ６０４へ移行した場合、複合機１２０は、図９の項目、禁止文字で設定されている、複合機１２０の保存領域に保存されている図１４の（Ａ）に示されるような禁止文字の情報と、複合機１２０の保存領域に保存しておいたスキャン画像と、を取得する。そして、複合機１２０は、スキャン画像に禁止文字情報を埋め込んだ、図１４の（Ｂ）に示されるような画像ファイル（制限情報埋込画像）を作成する（ステップＳ６０５）。次に、複合機１２０は、作成した画像を、複合機１２０の記憶領域に保存する（ステップＳ６０６）。図１４は、禁止文字の情報及び禁止文字を埋め込んだ画像ファイルの一例を示す図である。
【００６４】
複合機１２０は、スキャン実行者に対してスキャンさせたくないような機密文書に対して、このような予め設定しておいた禁止文字を埋め込んだ画像を作成し、管理サーバ１００に送信する。このようにすることにより、スキャン実行者は、スキャン実行後に管理者からのメッセージ付の画像を確認することで、容易に機密文書であったことを確認することができる。また、画像置き換えと違い、実際にスキャンした画像を確認することができるため、スキャン実行者は、機密文書がどのような文書であるのかを実際に確認することができる。また、このような使用方法によれば、スキャン画像と同じものは使用させたくないが、「ｓａｍｐｌｅ」等の文字を入れた画像であれば使用可能にするといった運用が可能になる。つまり、禁止文字があった場合は、ユーザには視認できないように画像データを変更する。
【００６５】
ステップＳ６０７へ移行した場合、複合機１２０は、図５ＡのステップＳ４０７で取得したＰＤＦパスワードと、複合機１２０の保存領域に保存されているスキャン画像と、を取得する。そして、複合機１２０は、スキャン画像に対して、ＰＤＦパスワードを設定する（ステップＳ６０８）。パスワードが設定されたスキャン画像（パスワード設定画像）このとき、複合機１２０は、スキャン画像の形式にＰＤＦ以外が選択されていた場合は、パスワードを付与し、選択された形式のデータファイルを作成する。複合機１２０は、作成した画像（パスワード設定画像）を複合機１２０の記憶領域に保存する（ステップＳ６０９）。つまり、禁止文字があった場合は、パスワードを設定することにより、簡単にユーザに視認できないように画像データをする。
【００６６】
ステップＳ６１０へ移行した場合、複合機１２０は、複合機１２０の保存領域に保存されているスキャン画像を取得する。
【００６７】
図１５は、送信するサムネイル画像を決定処理の一例を示すフローチャートである。
複合機１２０は、図５ＡのステップＳ４０７で取得したサムネイル画像の生成及び保存権限（ＴｈｕｍｂｎａｉｌＬｅｖｅｌ）と、図５ＢのステップＳ４２０での禁止文字があったか否かの情報を基に、送信するサムネイル画像を決定する（ステップＳ７０１）。なお、ここで、「サムネイル画像を送信しない」という選択も送信するサムネイル画像を決定する処理の選択肢の一つに含まれるものとする。
【００６８】
なお、禁止文字があった場合の処理は、「ＴｈｕｍｂｎａｉｌＬｅｖｅｌ＝３」であった場合のみ有効になるものとする。
例えば、複合機１２０は、
「ＴｈｕｍｂｎａｉｌＬｅｖｅｌ＝２」の場合は、ステップＳ７０２へ、
「ＴｈｕｍｂｎａｉｌＬｅｖｅｌ＝４」の場合は、ステップＳ７０７へ、
「ＴｈｕｍｂｎａｉｌＬｅｖｅｌ＝３」で、かつ、禁止文字がない場合は、ステップＳ７０７へ、
移行する。
また、複合機１２０は、
「ＴｈｕｍｂｎａｉｌＬｅｖｅｌ＝３」で、かつ、禁止文字がある場合は、サムネイル生成処理方法レベル（ＷｏｒｄＴｈｕｍｂｎａｉｌＬｅｖｅｌ）に応じて、処理を変える。
例えば、
「ＷｏｒｄＴｈｕｍｂｎａｉｌＬｅｖｅｌ＝１」の場合は、ステップＳ７０３へ、
「ＷｏｒｄＴｈｕｍｂｎａｉｌＬｅｖｅｌ＝２」の場合は、ステップＳ７０４へ、
移行する。
【００６９】
ステップＳ７０２へ移行した場合、複合機１２０は、サムネイル画像は送信しないという情報を保存領域に保存する。（ステップＳ７０２）
ステップＳ７０３へ移行した場合、複合機１２０は、図９の項目で、置き換え画像で設定されている、複合機１２０の保存領域に保存されている画像ファイルを読み込み、サムネイル送信画像として設定する。スキャン実行者に対してスキャンさせたくないような機密文書は、このような予め設定しておいた画像と置き換えることで、スキャン実行者は、スキャン実行後に管理者からのメッセージ付の画像を確認することで、容易に機密文書であったことを確認できる。なお、置き換え用の画像は、白紙の画像であってもよい。白紙の画像（画像データ）は、上述したように予め複合機１２０の保存領域に保存されていてもよいし、ステップＳ７０３の処理の際に、複合機１２０が、白紙画像データを作成し、置き換えるようにしてもよい。つまり、ユーザ（スキャン実行者）が画像に禁止文字（制限情報）が含まれていたことが識別できるようになる。
【００７０】
ステップＳ７０４へ移行した場合、複合機１２０は、図９の項目、禁止文字で設定されている、複合機１２０の保存領域に保存されている図１４の（Ａ）に示されるような禁止文字の情報と複合機１２０の保存領域に保存しておいたサムネイル画像とを取得する。そして、複合機１２０は、サムネイル画像に禁止文字を埋め込んだ画像ファイル（制限情報埋込縮小画像）を作成する（ステップＳ７０５）。次に、複合機１２０は、作成した画像を、複合機１２０の記憶領域に保存する（ステップＳ７０６）。
【００７１】
複合機１２０は、スキャン実行者に対してスキャンさせたくないような機密文書に対して、このような予め設定しておいた禁止文字を埋め込んだサムネイル画像を作成し、管理サーバ１００に送信する。スキャン実行者は、スキャン実行後に管理者からのメッセージ付の画像を確認することで、容易に機密文書であったことを確認することができる。また、画像置き換えと違い、実際にスキャンした画像を確認することができるため、スキャン実行者は、機密文書がどのような文書であるのかを実際に確認することができる。つまり、ユーザ（管理者）が画像に禁止文字（制限情報）が含まれていたことが識別できるようになる。
【００７２】
ステップＳ７０７へ移行した場合、複合機１２０は、複合機１２０の保存領域に保存されているサムネイル画像を取得する。
【００７３】
図１６は、管理サーバ１００に接続されたデータベース１１０に蓄積されたサムネイル画像を検索し、閲覧する処理の一例を示すフローチャートである。
複合機１２０は、キーボード等を介して入力されたユーザＩＤとパスワードとを入力する（ステップＳ８０１）。なお、以下、複合機１２０と、管理サーバ１００と、の処理を説明するが、複合機１２０をクライアント装置１５０と読み替えてもよい。
【００７４】
複合機１２０は、入力したユーザＩＤとパスワードを管理サーバ１００に対して送信する（ステップＳ８０２）。
管理サーバ１００は、ユーザＩＤとパスワードを受信する（ステップＳ８０３）。
管理サーバ１００は、ユーザＩＤとパスワードとを基に、図６に示される認証テーブルを参照し、認証を行う（ステップＳ８０４）。管理サーバ１００は、認証テーブルに該当するユーザＩＤとパスワードとが存在し、かつ、認証テーブルのシステム権限のユーザレベル（ＵｓｅｒＬｅｖｅｌ）が２（閲覧者）、又は３（管理者）の場合、認証成功とみなす。一方、管理サーバ１００は、該当するユーザＩＤが存在しない場合、又はパスワードが異なっている場合、又はシステム権限のユーザレベルが１の場合、認証失敗とみなす。
管理サーバ１００は、認証の結果を複合機１２０に返す（ステップＳ８０５）。
【００７５】
複合機１２０は、認証が成功した旨の認証結果が返ってきた場合、図１７に示されるような検索条件入力画面を操作パネル等に表示する（ステップＳ８０６）。ユーザは、図１７に示されるような画面で検索したい項目（検索条件）を入力し検索ボタンを押下する。検索ボタンが押下されたことを検知した複合機１２０は、入力された検索条件を管理サーバ１００に送信する（ステップＳ８０７）。ここで、図１７は、検索条件入力画面の一例を示す図である。なお、図１７の画面に示されるように、ユーザは、例えば、ユーザ名での検索、保存された期間を指定して検索、保存されたスキャナ又は複合機のＩＰアドレスを指定しての検索が可能である。
【００７６】
検索条件を受信した管理サーバ１００は、接続されているデータベース１１０に対して、ＳＱＬコマンドを発行し、検索条件に合致するサムネイル画像の取得を行う。また管理サーバ１００は、検索した結果、取得したサムネイル画像の一覧情報を複合機１２０は、に送信する（ステップＳ８０８）。
【００７７】
複合機１２０は、受信した検索結果を含む図１８に示されるように検索結果一覧表示画面を操作パネル等に表示する（ステップＳ８０９）。図１８は、検索結果一覧表示画面の一例を示す図である。なお、図１８に示されるように、検索結果一覧表示画面には、検索条件に合致した一つ以上のサムネイル画像が表示される。また、検索結果一覧表示画面には、サムネイス画像毎にそのファイル名、ファイル保存日、ユーザ名が参考情報として表示される。つまり、管理サーバ１００は、サムネイル画像の一覧情報に、サムネイル画像と共に、ファイル名、ファイル保存日、ユーザ名を含めて、複合機１２０に送信する。
【００７８】
ユーザは、検索結果一覧から、サムネイル画像の詳細情報を確認したい場合は、サムネイル画像下の詳細ボタン、又はサムネイル画像を押下する。複合機１２０は、選択されたサムネイル画像の情報（ファイル名、ファイル保存日等）を管理サーバ１００に送信する（ステップＳ８１０）。
選択されたサムネイル画像の情報を受信した管理サーバ１００は、前記情報に基づいて、該当するサムネイル画像の詳細情報を取得し、複合機１２０に返す（ステップＳ８１１）。
【００７９】
詳細情報を受信した複合機１２０は、図１９に示されるようなサムネイル詳細情報表示画面を操作パネル等に表示する（ステップＳ８１２）。図１９は、サムネイル詳細情報表示画面の一例を示す図（その１）である。図１９に示されるように、サムネイル詳細情報表示画面には、ジョブ名、保存日、ページ数、サイズ、ＩＰアドレス、コンピュータ名、管理者権限、ファイル保存先、ファイル保存結果、禁止文字の存在結果、メール送信結果等の詳細情報が表示される。
ユーザ（管理者）は、これらの情報を確認することで、より詳細な情報を確認することができる。
【００８０】
また、選択されたサムネイル画像が、禁止文字が埋め込まれたサムネイル画像であった場合、複合機１２０は、図２０に示されるようなサムネイル詳細情報表示画面を操作パネル等に表示する。図２０は、サムネイル詳細情報表示画面の一例を示す図（その２）である。図２０に示されるように、禁止文字が埋め込まれたサムネイル画像のサムネイル詳細情報表示画面には、禁止文字の情報としてどの場所にどのような禁止文字が存在するかの情報が表示されている。また、サムネイル画像には、禁止文字の場所に色づけがなされている。よって、管理者は、どの場所にどのような禁止文字が存在するかを容易に確認することができる。
なお、本実施形態では、画面を操作パネル上に表示するよう説明を行っているが、画面を複合機１２０に接続された表示装置上に表示するようにしてもよい。
【００８１】
図２１は、システムの機能構成の一例を示した図である。
複合機１２０の認証機能９０２は、ユーザＩＤとパスワードとを入力し、管理サーバ１００に対して認証を要求する。ユーザＩＤとパスワードとを受信した管理サーバ１００は、図６に示したような認証テーブル９１０を参照し、認証を行い、認証成功の場合、ユーザ権限情報を複合機１２０に送信する。
【００８２】
複合機１２０のスキャン機能９０３は、スキャンを実行し、スキャン画像を複合機１２０の記憶領域９０８に保存する。複合機１２０のサムネイル生成機能９０４は、記憶領域９０８よりスキャン画像を読み込み、スキャン画像を基にサムネイル画像を生成し、記憶領域９０８にサムネイル画像を保存する。
【００８３】
複合機１２０のプレビュー機能９０５は、記憶領域９０８よりサムネイル画像を読み込み、操作パネル等にプレビュー表示を行う。またプレビュー画面の拡大を行った場合、プレビュー機能９０５は、拡大したサムネイル画像を記憶領域９０８に保存する。
【００８４】
複合機１２０のスキャン画像、サムネイル画像の作成機能９０７は、サムネイル画像、スキャン画像、禁止文字、置き換え画像等を記憶領域９０８より読み込み、送信用のスキャン画像とサムネイル画像とを必要に応じて再作成する。そして、複合機１２０の送信機能９０６は、スキャン画像とサムネイル画像とを管理サーバ１００に対して送信する。
【００８５】
スキャン画像とサムネイル画像とを受信した管理サーバ１００は、スキャン画像とサムネイル画像とを指定フォルダに保存すると同時に、データベース（記憶領域）９１２にサムネイル画像を保存する。
なお、管理サーバ１００の管理者設定機能９１１は、図９に示したような管理者設定テーブルを作成等し、複合機１２０に対して送信する。
【００８６】
＜実施形態２＞
本実施形態では、表示モードに応じて管理サーバ１００において管理されているサムネイル画像の表示を切り替える処理の一例を説明する。
管理サーバ１００にログインする処理は実施形態１の図１６と同様のため、Ｓ８０５以降の処理を図２２のフローチャートを用いて説明する。
図２２は、表示モードに応じてサムネイル画像の表示を切り替える表示制御処理の一例を示すフローチャートである。なお、以下、複合機１２０と、管理サーバ１００と、の処理を説明するが、複合機１２０をクライアント装置１５０と読み替えてもよい。
【００８７】
複合機１２０はユーザごとの仮想フォルダ情報（フォルダ構造）を管理サーバ１００から取得し、取得した情報に基づいて複合機１２０の文書管理アプリケーション上に図２３の２１０１、又は図２４の２２０３のように仮想フォルダを表示させる（ステップＳ２０００）。ここで、図２３は、通常モードにおけるサムネイル画像の表示の一例を示す図である。また、図２４は、制限ファイルモード（制限モード）におけるサムネイル画像の表示の一例を示す図である。
【００８８】
複合機１２０は、文書管理アプリケーション上で表示されている仮想フォルダへ入力があったか否かを判断する（ステップＳ２００１）。複合機１２０は、入力があった場合は、ステップＳ２００２へ進み、入力がない場合は、ステップＳ２００１の処理を繰り返す。
【００８９】
ステップＳ２００２において、複合機１２０は、現在表示されている表示モードに関する情報（表示モード情報）を取得する。なお、この表示モード情報は、通常モードと、制限ファイルモードと、を識別する情報である。ここで、通常モードは、図２３、図２４の仮想フォルダに保存されているファイル全てをサムネイル表示させる表示モードである。一方、制限ファイルモードは、仮想フォルダに保存されているファイルの内、実施形態１の図１２のステップＳ６０３、又はステップＳ６０４〜ステップＳ６０６、又はステップＳ６０７〜ステップＳ６０９の処理で制限がかけられたファイルのサムネイルを表示する表示モードである。
【００９０】
複合機１２０は、アクセスしたフォルダの情報（例えばフォルダ名等）であるアクセスフォルダ情報と、と表示モード情報と、を管理サーバ１００へ送信する（ステップＳ２００３）。
管理サーバ１００は、アクセスフォルダ情報と、表示モード情報と、を複合機１２０より受信する（ステップＳ２００４）。
【００９１】
管理サーバ１００は、受信したアクセスフォルダ情報が実施形態１の図１６のＳ８０４で認証されたユーザがアクセス可能なフォルダか否かを判断する（ステップＳ２００５）。管理サーバ１００は、アクセス可能なユーザであると判断した場合、Ｓ２００７へ進み、アクセスできないと判断された場合にエラー情報を複合機１２０に送信する。
ステップＳ２００６において、エラー情報を受信した複合機１２０は、指定した仮想フォルダにはアクセスできない旨のエラー情報を操作パネル等に表示する。
【００９２】
一方、ステップＳ２００７において、管理サーバ１００は、受信した表示モード情報が通常モードか否かを判断する。管理サーバ１００は、通常モードであればＳ２００８へ進み、通常モードでなければ（制限ファイルモードであれば）Ｓ２００９へ進む。
ステップＳ２００８において、管理サーバ１００は、受信したアクセスフォルダ情報に対応するフォルダに保存されている全てのファイルのサムネイル画像を取得して複合機１２０に送信する。
【００９３】
一方、ステップＳ２００９において、管理サーバ１００は、受信したアクセスフォルダ情報に対応するフォルダに保存されているファイルの内、実施形態１の図１２のステップＳ６０３、又はステップＳ６０４〜ステップＳ６０６、又はステップＳ６０７〜ステップＳ６０９の処理で制限がかけられたファイルのサムネイルを取得して複合機１２０へ送信する。なお、管理サーバ１００は、ファイルに紐付けられて記録されている図２０のジョブ情報詳細に示されるような情報に基づいて、制限がかけられたファイルか否かを判定する。例えば、管理サーバ１００は、「スキャン画像：置き換え画像保存」と記憶されている場合、制限ファイルとみなし、このファイルのサムネイルを取得して複合機１２０に送信する。また、管理サーバ１００は、全体のファイルの内、どのファイルが現在表示されているのか、また全体の内、どのファイルが制限ファイルなのかを識別可能にするための識別情報を複合機１２０に送信する。
【００９４】
ステップＳ２０１２において、複合機１２０は、ステップＳ２００８、又はステップＳ２００９において管理サーバ１００が送信した情報を受信する。
次に、複合機１２０は、受信した情報に従って、文書管理アプリケーションの表示を更新（表示制御）する（ステップＳ２０１３）。サムネイルは、図２３の２１０３、又は図２４の２２０４のように表示される。また、複合機１２０は、ステップＳ２００９において送信された前記識別情報を受信した場合、図２４の２２０３の表示領域において、該当するファイルのアイコンを２２０１、２２０２のように強調表示する。
【００９５】
次に、複合機１２０は、文書管理アプリケーションの表示モードが切り換えられたか否かを判断する。複合機１２０は、表示モードが切り換えられたと判断した場合、ステップＳ２００２へ処理を戻し、表示モードが切り換えられなかったと判断した場合、図２２に示される処理を終了する。なお、表示モードの切り換えで、図２３に示されるような表示と、図２４に示されるような表示と、が切り替わる。
【００９６】
なお、複合機１２０は、サムネイルが指定されて、例えばダブルクリック等の実行指示が行われたことを検知すると、管理サーバ１００から指示されたサムネイルに対応するファイル（スキャン画像）を取得して、操作パネル等に表示する。
このような処理を行うことにより、管理者、又はスキャンユーザがスキャンした画像が適正にスキャンされたものなのか制限がかけられてスキャンされてしまったのかを簡易的に確認することができる。
【００９７】
なお、本実施形態ではスキャンしたユーザが閲覧する例を用いて図２２に示される処理を説明したが、管理者が閲覧する際も処理は同様である。なお、管理者が閲覧した場合、ステップＳ２００５においては、Ｙｅｓと判断され、ステップＳ２００７に処理が進む。
【００９８】
以上、上述した各実施形態によれば、管理者は、ユーザがどのような画像のスキャン処理を実行しようとしたかを視覚的に、かつ、容易に確認することができる。
また、上述した各実施形態によれば、禁止文字を含んだ機密性の高い紙媒体をスキャン実行者がスキャンしようした場合、スキャン画像は、予め定められた置き換え用の画像に置き換えられ、管理サーバ１００に送信され、保存される。一方、サムネイル画像は、スキャン画像から作成されたサムネイル画像が管理サーバ１００に送信され、保存される。このようにすることにより、スキャン実行者には、スキャン画像は送信されない（スキャン画像を参照することはできない）ので、機密文書の漏洩防止の効果がある。また、スキャン実行者はサムネイル画像を確認することで、機密文書がどのような文書であったのかを認識することができる。
【００９９】
また、上述したシステムにおいて、禁止文字を含んだ機密性の高い紙媒体のスキャンが実行された場合は、その旨を管理者にメールで通知して知らせるように構成してもよい。このように構成することにより、管理者は、機密文書のスキャン状況をリアルタイムで把握することができる。
【０１００】
また、上述した各実施形態によれば、スキャン処理は全て実行させるが、そのスキャン画像に禁止文字が存在するかどうか、かつ、スキャン実行者のスキャン権限を基に、保存するファイルを置き換え画像に置き換える等の柔軟な運用を行うことができる。よって、通常のスキャン業務を行わせながら、並行して機密文書の漏洩を防止させることができる。
【０１０１】
また、上述した各実施形態によれば、どのようなスキャン実行者がどのような機密文書をスキャンしても、サムネイル画像は必ず作成し、送信するよう設定することで、管理者はどのようなスキャンがなされたかを容易に把握することができる。
以上、上述した各実施形態によれば、管理者に対してはどのような機密文書がスキャンされているか把握可能とし、また、ユーザに対しては機密文書をスキャンしたことを把握可能とすると共に、スキャンに伴う機密文書の漏洩を防止することができる。
また、上述した各実施形態によれば、ユーザが機密文書をスキャンしたことを把握可能とすると共に、スキャンに伴う機密文書の漏洩を防止することができる。
【０１０２】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【０１０３】
【図１】システム構成の一例を示す図である。
【図２】フォルダに対応する仮想フォルダ及びフォルダに格納されたデータの一例を示す図である。
【図３】管理サーバ１００とクライアント装置１５０とのハードウェア構成の一例を示す図である。
【図４】複合機１２０のハードウェア構成の一例を示す図である。
【図５Ａ】システムにより実行されるスキャン処理の一例を示すフローチャート（その１）である。
【図５Ｂ】システムにより実行されるスキャン処理の一例を示すフローチャート（その２）である。
【図５Ｃ】システムにより実行されるスキャン処理の一例を示すフローチャート（その３）である。
【図６】認証テーブルの一例を示す図である。
【図７】認証テーブルの設定項目の一例を示す図である。
【図８】スキャン設定テーブルの設定項目の一例を示す図である。
【図９】管理者設定テーブルの設定項目の一例を示す図である。
【図１０】プレビュー表示処理の一例を示すフローチャートである。
【図１１】サムネイル送信権限、スキャン画像生成権限、プレビュー表示権限の権限レベルを説明するための図である。
【図１２】送信するスキャン画像の決定処理の一例を示すフローチャートである。
【図１３】処理方法を説明するための図である。
【図１４】禁止文字の情報及び禁止文字を埋め込んだ画像ファイルの一例を示す図である。
【図１５】送信するサムネイル画像を決定処理の一例を示すフローチャートである。
【図１６】管理サーバ１００に接続されたデータベース１１０に蓄積されたサムネイル画像を検索し、閲覧する処理の一例を示すフローチャートである。
【図１７】検索条件入力画面の一例を示す図である。
【図１８】検索結果一覧表示画面の一例を示す図である。
【図１９】サムネイル詳細情報表示画面の一例を示す図（その１）である。
【図２０】サムネイル詳細情報表示画面の一例を示す図（その２）である。
【図２１】システムの機能構成の一例を示した図である。
【図２２】表示モードに応じてサムネイル画像の表示を切り替える表示制御処理の一例を示すフローチャートである。
【図２３】通常モードにおけるサムネイル画像の表示の一例を示す図である。
【図２４】制限ファイルモードにおけるサムネイル画像の表示の一例を示す図である。
【符号の説明】
【０１０４】
１００  管理サーバ
１２０  複合機
【図１】
0004936397.tif 000002
【図２】
0004936397.tif 000003
【図３】
0004936397.tif 000004
【図４】
0004936397.tif 000005
【図５Ａ】
0004936397.tif 000006
【図５Ｂ】
0004936397.tif 000007
【図５Ｃ】
0004936397.tif 000008
【図６】
0004936397.tif 000009
【図７】
0004936397.tif 000010
【図８】
0004936397.tif 000011
【図９】
0004936397.tif 000012
【図１０】
0004936397.tif 000013
【図１１】
0004936397.tif 000014
【図１２】
0004936397.tif 000015
【図１３】
0004936397.tif 000016
【図１４】
0004936397.tif 000017
【図１５】
0004936397.tif 000018
【図１６】
0004936397.tif 000019
【図１７】
0004936397.tif 000020
【図１８】
0004936397.tif 000021
【図１９】
0004936397.tif 000022
【図２０】
0004936397.tif 000023
【図２１】
0004936397.tif 000024
【図２２】
0004936397.tif 000025
【図２３】
0004936397.tif 000026
【図２４】
0004936397.tif 000027